(57)【要約】      （修正有）【課題】外部からの冷媒補給あるいは外部装置の支援なしで、冷却能力が維持できる冷却パッドを提供する。【解決手段】袋体からなる冷却用ジェルパッドであって、布地からなる袋体の外層２０２ａ、２０２ｂと、前記袋体外層の内周部を形成する樹脂製のシールド層２０６ａ、２０６ｂと、前記シールド層内部の内部層２０４と、から構成され、前記内部層は、水、グリセリン、ポリアクリル酸及び塩化ナトリウムを含むヒドロゲルであり、ヒドロゲルは、３０〜４０％の水、４０〜５０％のグリセリン、１２〜１８％の塩化ナトリウム及び１〜４％のポリアクリル酸を含み、袋体の外層は、耐水性を有するナイロンタフタ生地であることを特徴とする。【選択図】図２
2016106843.tif 000002
【特許請求の範囲】
【請求項１】
袋体からなる冷却用ジェルパッドであって、
外層と、
前記外層の内側にある内部層を含み、
前記内部層は、冷凍せずに室温で熱を吸収できるヒドロゲルであることを特徴とする冷却用ジェルパッド。
【請求項２】
前記外層は、耐水性生地のシールドからなることを特徴とする請求項１記載の冷却用ジェルパッド。
【請求項３】
前記耐水性生地は、ナイロンタフタ生地であることを特徴とする請求項２記載の冷却用ジェルパッド。
【請求項４】
前記外層は、複数の孔を含むことを特徴とする請求項１記載の冷却用ジェルパッド。
【請求項５】
前記ヒドロゲルは、水、グリセリンを含むことを特徴とする請求項１記載の冷却用ジェルパッド。
【請求項６】
前記ヒドロゲルは、１つ以上の安定剤を含むことを特徴とする請求項５記載の冷却用ジェルパッド。
【請求項７】
前記安定剤は、塩化ナトリウム及びポリアクリル酸を含むことを特徴とする請求項６記載の冷却用ジェルパッド。
【請求項８】
前記ヒドロゲルは、３０〜４０％の水、４０〜５０％のグリセリン、１２〜１８％の塩化ナトリウム及び１〜４％のポリアクリル酸を含むことを特徴とする請求項５記載の冷却用ジェルパッド。
【請求項９】
前記袋体からなる冷却用ジェルパッドは、前記外層と前記内部層の間にシールド層を含むことを特徴とする請求項１記載の冷却用ジェルパッド。
【請求項１０】
前記外層は、座席に適用されることを特徴とする請求項１記載の冷却用ジェルパッド。
【請求項１１】
前記座席は、ベビーカー用も含むことを特徴とする請求項７記載の冷却用ジェルパッド。
【請求項１２】
前記座席は、自動車用も含むことを特徴とする請求項７記載の冷却用ジェルパッド。
【請求項１３】
前記ヒドロゲルは、外部からの冷媒補給あるいは外部装置の支援なしで、一定温度を維持できることを特徴とする請求項１記載の冷却用ジェルパッド。
【請求項１４】
前記ヒドロゲルは、外気温より２〜５℃低い温度を維持できることを特徴とする請求項１記載の冷却用ジェルパッド。
【発明の詳細な説明】
【技術分野】
【０００１】
本発明は、冷却用ジェルパッドに係り、より詳しくは、外部からの冷却手段を使用せずにそれ自体で対象物の熱発散を支援する冷却用ジェルパッドに関する。
【背景技術】
【０００２】
冷却用ジェルパッドとしては、予め冷凍庫内で冷却しておいて、必要時に対象物を冷却するものや、冷却用ジェルパッドに冷媒を循環させて保冷するものなどが知られている。
予め冷凍庫内で冷却するものは、冷凍庫から取り出した後自由に使用できるメリットがあるが、時間の経過と共に冷却用ジェルパッドの冷却能力が低下するため、冷却能力を維持するためには、再度冷凍庫内で冷却するか、新たに冷凍庫内から取り出した冷却用ジェルパッドに取り換える必要がある。
冷却用ジェルパッドに冷媒を循環させて保冷するものは、冷却能力は低下しないものの冷媒の循環装置とともに使用する必要があるため、使用場所に制約がある。
従って、冷凍庫内での冷却を繰り返したり、冷凍庫から取り出した冷却パッドに次々に取り換えたり、冷媒循環装置を取り付けたりする必要のない、冷却パッドが求められていた。
【先行技術文献】
【特許文献】
【０００３】
【特許文献１】特開２０００−１５４４６９号公報
【発明の概要】
【発明が解決しようとする課題】
【０００４】
本発明は、上記課題を解決するためになされたものであって、その目的とするところは、外部からの冷媒補給あるいは外部装置の支援なしで、一定温度が維持できる冷却パッドを提供することにある。
【課題を解決するための手段】
【０００５】
本発明は、袋体からなる冷却用ジェルパッドであって、外層と、前記外層の内側にある内部層を含み、前記内部層は、冷凍せずに室温で熱を吸収できるヒドロゲルであることを特徴とする。
【０００６】
前記外層は、耐水性生地のシールドからなり、前記耐水性生地は、ナイロンタフタ生地であることを特徴とする。
【０００７】
前記外層は、複数の孔を含むことを特徴とする。
【０００８】
前記ヒドロゲルは、水、グリセリンを含むことを特徴とする。
【０００９】
前記ヒドロゲルは、１つ以上の安定剤を含むことを特徴とする。
【００１０】
前記安定剤は、塩化ナトリウム及びポリアクリル酸を含むことを特徴とする。
【００１１】
前記ヒドロゲルは、３０〜４０％の水、４０〜５０％のグリセリン、１２〜１８％の塩化ナトリウム及び１〜４％のポリアクリル酸を含むことを特徴とする。
【００１２】
前記袋体からなる冷却用ジェルパッドは、前記外層と前記内部層の間にシールド層を含むことを特徴とする。
【００１３】
前記外層は、座席に適用されることを特徴とする。
【００１４】
前記座席は、ベビーカー用及び自動車用も含むことを特徴とする。
【００１５】
前記ヒドロゲルは、外部からの冷媒補給あるいは外部装置の支援なしで、一定温度が維持でき、外気温より２〜５℃低い温度を維持できることを特徴とする。
【発明の効果】
【００１６】
本発明の冷却用ジェルパッドによれば、冷凍庫内での冷却を繰り返したり、冷凍庫から取り出した冷却パッドに次々に取り換えたり、冷媒循環装置を取り付けたりすることなく、外気温より２〜５度低い温度を維持することが出来る。
【図面の簡単な説明】
【００１７】
【図１】本発明の実施例に係る冷却用ジェルパッドの外観図である。
【図２】本発明の実施例に係る袋体の断面図である。
【発明を実施するための形態】
【００１８】
以下、本発明の実施例を図面を参照して詳細に説明する。
図１は、本発明の実施例に係る冷却用ジェルパッドの外観図、図２は、本発明の実施例に係る袋体の断面図である。
本発明は、袋体からなる冷却用ジェルパッドであって、図２に示すように布地からなる袋体の外層２０２ａ，２０２ｂと、袋体外層２０２ａ，２０２ｂの内周部を形成する樹脂製のシールド層２０６ａ、２０６ｂと、シールド層２０６ａ、２０６ｂ内部の内部層２０４と、から構成され、内部層２０４は、水、グリセリン、ポリアクリル酸及び塩化ナトリウムを含むヒドロゲルからなる。
【００１９】
実施例では、内部層２０４であるヒドロゲルは、３０〜４０％の水、４０〜５０％のグリセリン、１２〜１８％の塩化ナトリウム及び１〜４％のポリアクリル酸を含む。
水とグリセリンベースに安定剤を含ませたものであるが、安定剤は、ポリアクリル酸や塩化ナトリウムに限定されない。
ヒドロゲルにより、冷却用ジェルパッドの表面温度は室温より３〜５℃下げることが出来る。
【００２０】
実施例では、袋体の外層２０２ａ，２０２ｂに、耐水性を有するナイロンタフタ生地を使用した。
ナイロンタフタ生地は、長繊維の生糸（ナマイト）で織られた平織の密な織物で、すべりがよく適度な光沢がある。
シールド層２０６ａ、２０６ｂには、塩化ビニルシ−トを採用して内部層２０４であるヒドロゲルをシールするようにして継続的な使用を可能としている。
【００２１】
図１は、冷却用ジェルパッドの外観図であり、ベビーカーまたは同種の乗り物で使用するためにデザインされたものであるが、自動車や事務用椅子、あるいは、マットレスのような製品のためにもデザインすることが出来る。
袋体の外層２０２ａ，２０２ｂには、ストラップや自動車のシートベルトなどを挿入できるような各種形状の孔１０４ａ〜１０４ｅが穿けられている。
これらの孔１０４ａ〜１０４ｅに紐またはベルトを通過させることによりベビーカー、車の座席、幼児椅子、ベビーチェアなどの装置に取り付けることが出来る。
ストラップや自動車のシートベルトなどを挿入できるような各種形状の孔１０４ａ〜１０４ｅの代わりに袋体の外層２０２ａ，２０２ｂにストラップや自動車のシートベルトなどを取り付けるトンネル状の突起部を設けてもよい。
【００２２】
本発明の冷却用ジェルパッドは、使用前に冷凍庫に入れて凍結させて使用するのが通常の使用法であるが、冷凍庫に入れて冷やす程低温でなくてもよい場合は、冷水に浸漬させた後取り出して使用することも出来る。
本発明の冷却用ジェルパッドによれば、冷凍庫内での冷却を繰り返したり、冷凍庫から取り出した冷却パッドに次々に取り換えたり、冷媒循環装置を取り付けたりすることなく、外気温より２〜５度低い温度を維持することが出来る。
【符号の説明】
【００２３】
１００  冷却用ジェルパッド
１０４ａ〜１０４ｅ    孔
１０２，２０２ａ，２０２ｂ    外層
２０４    内部層、ヒドロゲル
２０６ａ、２０６ｂ    シールド層
【図１】
2016106843.tif 000003
【図２】
2016106843.tif 000004